(57)【要約】【課題】小型化を図ることができるレバーを備えたコネクタを提供する。【解決手段】コネクタ１は雄コネクタ２と雌コネクタ３と雄コネクタ２に回転自在に設けられたレバー４を備えている。レバー４は回転することでコネクタ２，３を互いに接離させる。雄コネクタ２にロックアーム１５が設けられている。雌コネクタ３にロックアーム１５が係合するロック突起２６が設けられている。【選択図】図３
2006324227.tif 000002
【特許請求の範囲】
【請求項１】
ロックアームが設けられた第１のコネクタと、前記ロックアームが係合するロック突起が設けられかつ該ロック突起に前記ロックアームが係合することで前記第１のコネクタが嵌合する第２のコネクタと、を備えたコネクタにおいて、
前記第１のコネクタと前記第２のコネクタとのうち一方に回転自在に取り付けられているとともに、回転することで、前記第１のコネクタと第２のコネクタとを互いに接離させるレバーと、
嵌合した状態の前記第１のコネクタと前記第２のコネクタとを分離する際に、前記レバーの回転に連動して、前記ロックアームと前記ロック突起との係合を解除する連動解除部と、を備え、
前記連動解除部が、前記ロックアームと前記ロック突起との係合を解除するまで、前記レバーが回転しても、前記第１のコネクタと前記第２のコネクタとを停止させておく嵌合保持部を備えたことを特徴とするコネクタ。
【請求項２】
前記ロックアームは、一端部が前記第１のコネクタに連なり、他端部が前記ロック突起に係合するとともに自由端に形成されており、
前記連動解除部は、前記レバーに設けられ、かつ前記第１のコネクタと前記第２のコネクタとが嵌合した状態から前記レバーを回転すると、前記第１のコネクタと前記ロックアームの他端部との間に侵入して、前記ロック突起との係合を解除する方向に前記ロックアームを弾性変形させる第１解除部を備えたことを特徴とする請求項１記載のコネクタ。
【請求項３】
前記ロックアームは、一端部が前記第１のコネクタに連なり、かつ他端部が前記ロック突起に係合するとともに自由端に形成されており、
前記連動解除部は、前記レバーに設けられ、かつ前記第１のコネクタと前記第２のコネクタとが嵌合した状態から前記レバーを回転すると、前記ロックアームの一端部を前記第１のコネクタに向かって押圧して、前記ロック突起との係合を解除する方向に前記ロックアームを弾性変形させる第２解除部を備えたことを特徴とする請求項１又は請求項２記載のコネクタ。
【請求項４】
前記第２解除部が、前記レバーから前記ロックアームに向かって凸の押圧部を備えており、
前記ロックアームに設けられ、かつ前記第１のコネクタと前記第２のコネクタとの接離方向に沿って延在しているとともに、前記レバーが回転する際に前記押圧部が侵入して該押圧部の移動を案内するガイド溝を備えたことを特徴とする請求項３記載のコネクタ。
【請求項５】
前記レバーが取り付けられた前記第１のコネクタと前記第２のコネクタとのうち一方に設けられ、かつ前記第１のコネクタと前記第２のコネクタとの接離方向に沿って延在しているとともに、前記レバーが回転する際に前記押圧部が互いの間に侵入して該押圧部の移動を案内する一対のガイド突起を備えたことを特徴とする請求項３又は請求項４記載のコネクタ。
【請求項６】
前記第１のコネクタと前記第２のコネクタとのうち他方と、前記レバーと、のうちの一方には、他方に向かって凸の嵌合ガイド突起が設けられ、かつ該他方には前記嵌合ガイド突起が侵入する嵌合ガイド溝が設けられており、前記レバーが回転すると前記嵌合ガイド溝内を前記嵌合ガイド突起が移動することで、前記第１のコネクタと前記第２のコネクタとを互いに接離させるとともに、
前記嵌合保持部が、前記嵌合ガイド突起と前記嵌合ガイド溝との間に設けられた空間であって、前記連動解除部が前記ロックアームと前記ロック突起との係合を解除するまでは、前記嵌合ガイド突起が前記嵌合ガイド溝の内面と間隔をあける構成となっていることを特徴とする請求項１乃至請求項５のうちいずれか一項に記載のコネクタ。
【請求項７】
前記第１のコネクタと前記第２のコネクタとが分離した状態では前記レバーを固定するとともに、前記第１のコネクタと前記第２のコネクタとを嵌合する際に、これらコネクタ同士が近づくのに連動して、前記レバーの固定を解除する仮係止部を備えたことを特徴とする請求項１乃至請求項６のうちいずれか一項に記載のコネクタ。
【発明の詳細な説明】
【技術分野】
【０００１】
本発明は、互いに嵌合する第１のコネクタと第２のコネクタとこれらのうち一方に回転自在に設けられたレバーとを備えたコネクタに関する。
【背景技術】
【０００２】
従来からレバーを備えた所謂レバー式コネクタは知られている(例えば、特許文献１及び２参照)。
【０００３】
図２２は、特許文献１で開示されているレバー式コネクタの雄ハウジングを雌ハウジングに嵌合する前の状態を示す断面図であり、図２３は、図２２のレバー式コネクタの雄ハウジングを雌ハウジングに嵌合した状態を示す断面図である。
【０００４】
図２２及び図２３を参照すると、レバー式コネクタ１００においては、レバー１０１が、該レバー１０１に設けられた係合穴１０２に雄ハウジング１０３の突起部１０４を係合されることにより、雄ハウジング１０３に突起部１０４を中心として回転自在に支持されている。
【０００５】
レバー１０１は、雄ハウジング１０３に対して回転することで、雌ハウジング１０５と雄ハウジング１０３とを互いに近づけて、これらのハウジング１０３，１０５同士を嵌合させる。すなわち、レバー１０１の回転に連動して、雄ハウジング１０３が雌ハウジング１０５のフード部１０６内に収容される。そして、フード部１０６の係止突起１０７がレバー１０１の係止部(図示しない)に係合されることにより、レバー１０１が固定される。このように、レバー１０１が固定されることで、ハウジング１０３，１０５同士の嵌合状態が保持される。前述したレバー式コネクタ１００は、前述したレバー１０１を用いないと、ハウジング１０３，１０５同士を嵌合させることが困難であることが多い（即ち、ハウジング１０３，１０５同士を嵌合させる際に、該ハウジング１０３，１０５同士を近づけるために非常に強い力が必要となる）。
【特許文献１】特開２００２−３５９０２８号公報(第５〜６頁、第２図及び第３図)
【特許文献２】特開２００３−９２１６９号公報
【発明の開示】
【発明が解決しようとする課題】
【０００６】
しかしながら、上述した図２２及び図２３に示す従来のレバー式コネクタ１００は、レバー１０１がハウジング１０３，１０５同士の嵌合状態を保持するので、該レバー１０１を設けることができないような狭いスペースに設置することができなかった（レバー１０１を取り外すと、ハウジング１０３，１０５同士の嵌合状態を保持することができないため）。
【０００７】
また、前述したレバー式コネクタ１００は、レバー１０１がハウジング１０３，１０５同士の嵌合状態を保持するので、レバー１０１が破損するとハウジング１０３，１０５同士の嵌合状態を保持することができないために、該レバー１０１の機械的な強度を高く設定する必要が生じて、該レバー１０１が大型化する傾向であった。このように、前述したレバー式コネクタ１００は、他の物品などが衝突しても破損しない程度に機械的な強度を確保された比較的大型なレバー１０１を取り付ける必要があって、設置にかかるスペースが大型化する傾向であった。
【０００８】
本発明は、上記事情に鑑みてなされたものであり、小型化を図ることができるレバーを備えたコネクタを提供することを目的とする。
【課題を解決するための手段】
【０００９】
前述した課題を解決し目的を達成するために、請求項１に記載の本発明のコネクタは、ロックアームが設けられた第１のコネクタと、前記ロックアームが係合するロック突起が設けられかつ該ロック突起に前記ロックアームが係合することで前記第１のコネクタが嵌合する第２のコネクタと、を備えたコネクタにおいて、前記第１のコネクタと前記第２のコネクタとのうち一方に回転自在に取り付けられているとともに、回転することで、前記第１のコネクタと第２のコネクタとを互いに接離させるレバーと、嵌合した状態の前記第１のコネクタと前記第２のコネクタとを分離する際に、前記レバーの回転に連動して、前記ロックアームと前記ロック突起との係合を解除する連動解除部と、を備え、前記連動解除部が、前記ロックアームと前記ロック突起との係合を解除するまで、前記レバーが回転しても、前記第１のコネクタと前記第２のコネクタとを停止させておく嵌合保持部を備えたことを特徴としている。
【００１０】
請求項２に記載の本発明のコネクタは、請求項１に記載のコネクタにおいて、前記ロックアームは、一端部が前記第１のコネクタに連なり、他端部が前記ロック突起に係合するとともに自由端に形成されており、前記連動解除部は、前記レバーに設けられ、かつ前記第１のコネクタと前記第２のコネクタとが嵌合した状態から前記レバーを回転すると、前記第１のコネクタと前記ロックアームの他端部との間に侵入して、前記ロック突起との係合を解除する方向に前記ロックアームを弾性変形させる第１解除部を備えたことを特徴としている。
【００１１】
請求項３に記載の本発明のコネクタは、請求項１又は請求項２に記載のコネクタにおいて、前記ロックアームは、一端部が前記第１のコネクタに連なり、かつ他端部が前記ロック突起に係合するとともに自由端に形成されており、前記連動解除部は、前記レバーに設けられ、かつ前記第１のコネクタと前記第２のコネクタとが嵌合した状態から前記レバーを回転すると、前記ロックアームの一端部を前記第１のコネクタに向かって押圧して、前記ロック突起との係合を解除する方向に前記ロックアームを弾性変形させる第２解除部を備えたことを特徴としている。
【００１２】
請求項４に記載の本発明のコネクタは、請求項３に記載のコネクタにおいて、前記第２解除部が、前記レバーから前記ロックアームに向かって凸の押圧部を備えており、前記ロックアームに設けられ、かつ前記第１のコネクタと前記第２のコネクタとの接離方向に沿って延在しているとともに、前記レバーが回転する際に前記押圧部が侵入して該押圧部の移動を案内するガイド溝を備えたことを特徴としている。
【００１３】
請求項５に記載の本発明のコネクタは、請求項３又は請求項４に記載のコネクタにおいて、前記レバーが取り付けられた前記第１のコネクタと前記第２のコネクタとのうち一方に設けられ、かつ前記第１のコネクタと前記第２のコネクタとの接離方向に沿って延在しているとともに、前記レバーが回転する際に前記押圧部が互いの間に侵入して該押圧部の移動を案内する一対のガイド突起を備えたことを特徴としている。
【００１４】
請求項６に記載の本発明のコネクタは、請求項１乃至請求項５のうちいずれか一項に記載のコネクタにおいて、前記第１のコネクタと前記第２のコネクタとのうち他方と、前記レバーと、のうちの一方には、他方に向かって凸の嵌合ガイド突起が設けられ、かつ該他方には前記嵌合ガイド突起が侵入する嵌合ガイド溝が設けられており、前記レバーが回転すると前記嵌合ガイド溝内を前記嵌合ガイド突起が移動することで、前記第１のコネクタと前記第２のコネクタとを互いに接離させるとともに、前記嵌合保持部が、前記嵌合ガイド突起と前記嵌合ガイド溝との間に設けられた空間であって、前記連動解除部が前記ロックアームと前記ロック突起との係合を解除するまでは、前記嵌合ガイド突起が前記嵌合ガイド溝の内面と間隔をあける構成となっていることを特徴としている。
【００１５】
請求項７に記載の本発明のコネクタは、請求項１乃至請求項６のうちいずれか一項に記載のコネクタにおいて、前記第１のコネクタと前記第２のコネクタとが分離した状態では前記レバーを固定するとともに、前記第１のコネクタと前記第２のコネクタとを嵌合する際に、これらコネクタ同士が近づくのに連動して、前記レバーの固定を解除する仮係止部を備えたことを特徴としている。
【００１６】
請求項１に記載した本発明のコネクタによれば、第１のコネクタと第２のコネクタとを互いに嵌合した状態に保つレバーに加え、互いに係合して第１のコネクタと第２のコネクタとを互いに嵌合した状態に保つロックアームとロック突起を備えている。このため、レバーを設けることなく第１のコネクタと第２のコネクタとを互いに嵌合した状態に保つことができる。
【００１７】
連動解除部がコネクタ同士の嵌合を解除しようとするレバーの回転に連動して、ロックアームとロック突起の係合を解除するので、レバーを回転することで、コネクタ同士を確実に分離できる。
【００１８】
ロックアームとロック突起との係合が解除されるまで、嵌合保持部が第１のコネクタと第２のコネクタとを相対的に移動させない（停止させる）。このため、コネクタ同士を分離する際に、ロックアームとロック突起との係合が解除される前に、コネクタ同士が離れる方向に移動することを防止できるので、ロックアームやロック突起などが破損することを防止できる。
【００１９】
請求項２に記載した本発明のコネクタによれば、連動解除部の第１解除部が、ロックアームの他端部と第１のコネクタとの間に侵入するので、ロックアームとロック突起との係合を確実に解除できる。
【００２０】
請求項３に記載した本発明のコネクタによれば、連動解除部の第２解除部が、ロックアームの一端部を第１のコネクタに向かって押圧するので、ロックアームとロック突起との係合を確実に解除できる。
【００２１】
請求項４に記載した本発明のコネクタによれば、第２解除部の移動を案内するガイド溝が、ロックアームに設けられているので、レバーの回動方向を前述した第２解除部とガイド溝が案内する。
【００２２】
請求項５に記載した本発明のコネクタによれば、第２解除部を互いの間に位置付けて該第２解除部の移動方向を案内する一対のガイド突起が、レバーが取り付けられた第１のコネクタと第２のコネクタとのうちの一方に設けられているので、レバーの回動方向を前述した第２解除部と一対のガイド突起が案内する。
【００２３】
請求項６に記載した本発明のコネクタによれば、嵌合保持部が嵌合ガイド突起と嵌合ガイド溝との間に設けられた空間であるので、ロックアームとロック突起との係合が解除されるまで、嵌合保持部が第１のコネクタと第２のコネクタとを確実に相対的に移動させない（停止させる）。
【００２４】
請求項７に記載した本発明のコネクタによれば、仮係止部を備えているので、コネクタ同士が分離した状態で、レバーが回転することを防止できる。
【発明の効果】
【００２５】
請求項１に記載の本発明によれば、レバーを設けることなく第１のコネクタと第２のコネクタとを互いに嵌合した状態に保つことができるので、レバーを用いてコネクタ同士を嵌合させた後に、レバーを取り外すことができるとともに、該レバーが破損してもコネクタ同士を嵌合させた状態に保つことができる。
【００２６】
したがって、レバーの機械的な強度を低下させて、該レバーの小型化を図ることが可能となり、コネクタ自体の小型化を図ることができる。また、本発明のコネクタは、場合によってはレバーを取り外して設置することができるので、設置にかかるスペースを小さくすることができるとともに、狭いスペースにも設置することができる。
【００２７】
連動解除部がレバーの回転に連動して、ロックアームとロック突起の係合を解除するので、レバーを回転することでコネクタ同士を確実に分離できる。したがって、ロックアームやロック突起などが破損することなく、コネクタ同士を確実に分離できる。
【００２８】
コネクタ同士を分離する際に、ロックアームとロック突起との係合が解除される前に、コネクタ同士が離れる方向に移動することを防止できるので、ロックアームやロック突起などが破損することを防止できる。したがって、ロックアームやロック突起などが破損することなく、コネクタ同士を確実に分離できる。
【００２９】
請求項２に記載の本発明によれば、連動解除部の第１解除部が、ロックアームの他端部と第１のコネクタとの間に侵入するので、ロックアームとロック突起との係合を確実に解除できる。
【００３０】
請求項３に記載の本発明によれば、連動解除部の第２解除部が、ロックアームの一端部を第１のコネクタに向かって押圧するので、ロックアームとロック突起との係合を確実に解除できる。
【００３１】
請求項４に記載の本発明によれば、レバーの回動方向を前述した第２解除部とガイド溝が案内するので、レバーの機械的な強度を弱くして該レバーを小型させても、該レバーが破損することがない。したがって、このレバーを回転することで、コネクタ同士を確実に接離させることができる。
【００３２】
請求項５に記載の本発明によれば、レバーの回動方向を前述した第２解除部と一対のガイド突起が案内するので、レバーの機械的な強度を弱くして該レバーを小型させても、該レバーが破損することがない。したがって、このレバーを回転することで、コネクタ同士を確実に接離させることができる。
【００３３】
請求項６に記載の本発明によれば、嵌合保持部が嵌合ガイド突起と嵌合ガイド溝との間に設けられた空間であるので、ロックアームとロック突起との係合が解除されるまで、嵌合保持部が第１のコネクタと第２のコネクタとを確実に相対的に移動させない（停止させる）。したがって、ロックアームやロック突起などが破損することなく、コネクタ同士を確実に分離できる。
【００３４】
請求項７に記載の本発明によれば、仮係止部を備えているので、コネクタ同士が分離した状態で、レバーが回転することを防止できる。したがって、コネクタ同士が分離した状態で、コネクタ同士が完全に嵌合した状態の位置にレバーが位置付けられることを防止できる。
【発明を実施するための最良の形態】
【００３５】
本発明の一実施形態にかかるコネクタを、図１ないし図２１を参照して説明する。
【００３６】
図１は本発明の一実施形態にかかるコネクタの雌コネクタヘの雄コネクタ嵌合前の状態を示す斜視図であり、図２は図１のコネクタの雌コネクタのアウタカバーの一部を除いた状態を示す斜視図、図３は図１のコネクタの雌コネクタのロックアームが見える位置での切断面を示す断面図、図４は図１のコネクタのレバーのロック解除アームが見える位置での切断面を示す断面図である。
【００３７】
また、図５は本発明の一実施形態であるコネクタの雌コネクタヘの雄コネクタ嵌合し始め状態を示す斜視図であり、図６は図５のコネクタの雌コネクタのアウタカバーの一部を除いた状態を示す斜視図、図７は図５のコネクタの雌コネクタのロックアームが見える位置での切断面を示す断面図、図８は図５のコネクタのレバーのロック解除アームが見える位置での切断面を示す断面図である。
【００３８】
また、図９は本発明の一実施形態であるコネクタの雌コネクタヘの雄コネクタ嵌合完了直前の状態を示す斜視図であり、図１０は図９のコネクタの雌コネクタのアウタカバーの一部を除いた状態を示す斜視図、図１１は図９のコネクタの雌コネクタのロックアームが見える位置での切断面を示す断面図、図１２は図９のコネクタのレバーのロック解除アームが見える位置での切断面を示す断面図である。
【００３９】
更に、図１３は本発明の一実施形態であるコネクタの雌コネクタへの雄コネクタ嵌合完了状態を示す斜視図であり、図１４は図１３のコネクタの雌コネクタのアウタカバーの一部を除いた状態を示す斜視図、図１５は図１３のコネクタの雌コネクタのロックアームが見える位置での切断面を示す断面図、図１６は図１３のコネクタのレバーのロック解除アームが見える位置での切断面を示す断面図である。
【００４０】
コネクタ１は、図１乃至図１６に示すように、第１のコネクタとしての雄型のコネクタ（以下、単に雄コネクタと呼ぶ）２と、第２のコネクタとしての雌型のコネクタ（以下、単に雌コネクタと呼ぶ）３と、レバー４と、連動解除部５（図１７乃至図１９、図２０及び図２１などに示す）と、ガイド溝６（図１などに示す）と、一対のガイド突起７（図１などに示す）と、仮係止部８（図２、図１９などに示す）と、を備えている。
【００４１】
雄コネクタ２は、コネクタハウジング９と、カバー部材１０とを備えている。コネクタハウジング９は、図２などに示すように、箱形のインナハウジング１１と、筒形のアウタカバー１２とを備えている。インナハウジング１１は、端子収容室１３（図３などに示す）が設けられており、端子収容室１３には、複数の図示しない雌形の端子金具（以下、雌端子と呼ぶ）を収容する。
【００４２】
アウタカバー１２は、内側にインナハウジング１１を収容した格好で、該インナハウジング１１と一体に形成されている。アウタカバー１２の雌コネクタ３から離れた側の縁部が、インナハウジング１１の外縁部に連なっている。
【００４３】
カバー部材１０は、樋状に形成されて、コネクタハウジング９のインナハウジング１１の雌コネクタ３から離れた側の端部に取り付けられる。カバー部材１０は、雌端子に取り付けられた電線を収容して、該電線を保護する。また、カバー部材１０には、レバー４と干渉して、該レバー４が後述する第１の位置より後述する操作板部３０が雌コネクタ３から離れることを規制する規制突起１４が突出している。
【００４４】
また、雄コネクタ２のインナハウジング１１の外面(図１及び図２中上方に位置する面)には、ロックアーム１５が設けられている。即ち、雄コネクタ２には、ロックアーム１５が設けられている。
【００４５】
ロックアーム１５は、図３などに示すように、アーム本体１６と、係合突起１７と、一対の操作アーム１８と、操作板部１９と、一対の解除突起３６とを備えている。アーム本体１６は、一端部１６ａがインナハウジング１１の外面即ち雄コネクタ２に連なり、かつ該一端部１６ａから雌コネクタ３に向かって直線状に延在している。アーム本体１６は、雌コネクタ３寄りの他端部１６ｂが自由端となっている。係合突起１７は、アーム本体１６の他端部１６ｂからインナハウジング１１に向かって突出している。
【００４６】
一対の操作アーム１８は、それぞれ、棒状に形成されている。一対の操作アーム１８は、互いに間隔をあけて平行に配置されている。一対の操作アーム１８は、互いの間にアーム本体１６を位置付けている。操作アーム１８は、アーム本体１６の他端部１６ｂに連なり、雌コネクタ３から離れる方向に該アーム本体１６の他端部１６ｂから延在している。
【００４７】
操作板部１９は、操作アーム１８の雌コネクタ３から離れた側の端部同士を連結している。前述した操作板部１９とアーム本体１６の一端部１６ａは、特許請求の範囲に記載されたロックアーム１５の一端部をなしている。アーム本体１６の他端部１６ｂは、特許請求の範囲に記載されたロックアーム１５の他端部をなしている。
【００４８】
一対の解除突起３６は、ロックアーム１５のアーム本体１６の他端部１６ｂからインナハウジング１１に向かって突出している。一対の解除突起３６は、互いの間に係合突起１７を位置付けている。
【００４９】
前述したアーム本体１６や操作アーム１８を備えて、ロックアーム１５は、前述した一端部が雄コネクタ２に連なり、他端部が自由端に形成されている。前述したロックアーム１５は、コネクタ２，３同士が嵌合する際に、係合突起１７が一旦後述するロック突起２６に当接した後、該係合突起１７がロック突起２６を乗り上げるように、アーム本体１６などが弾性変形する。そして、ロックアーム１５は、係合突起１７がロック突起２６を乗り越えて、アーム本体１６が弾性変形していない中立状態に復帰して、係合突起１７がロック突起２６と係合する。こうして、ロックアーム１５は、コネクタ２，３同士が完全に嵌合する際に、ロック突起２６と係合する。そして、ロックアーム１５は、ロック突起２６と係合して、コネクタ２，３同士が完全に嵌合した状態に保つ。
【００５０】
また、アウタカバー１２のロックアーム１５と重ならない一つの外壁には、該外壁の内面から支点ボス２０（図２に示す）と、ガイドボス２１（図２に示す）とが立設している。支点ボス２０は、前述したアウタカバー１２の一つの外壁の中央に配置されている。ガイドボス２１は、支点ボス２０より雌コネクタ３から離れた側でかつロックアーム１５寄りに配置されている。
【００５１】
雌コネクタ３は、コネクタハウジング２２を備えている。コネクタハウジング２２は、箱状の本体部２３と、筒状の筒部２４とを備えている。本体部２３内には、雄型の端子金具（以下、雄端子と呼び、図３などに示す）２５の主に電線接続部を収容する端子収容室が設けられている。本体部２３の外表面にはロック突起２６が設けられている。即ち、雌コネクタ３には、ロック突起２６が設けられている。ロック突起２６は、勿論、雌コネクタ３の外表面から凸に形成されている。
【００５２】
前述した雌コネクタ３は、筒部２４が雄コネクタ２のインナハウジング１１とアウタカバー１２との間に侵入して、雄端子２５の電気接触部が雄コネクタ２のインナハウジング１１の端子収容室１３内に侵入して、ロック突起２６にロックアーム１５の係合突起１７が係合することで、雄コネクタ２と完全に嵌合する。そして、雌コネクタ３と雄コネクタ２は、雌端子と雄端子２５とを電気的に接続して、これらに取り付けられた電線同士を電気的に接続する。さらに、雌コネクタ３は、雄コネクタ２と嵌合する際に、コネクタハウジング２２の筒部２４の一部がレバー４の後述する平板部２９とインナハウジング１１との間に侵入する。
【００５３】
さらに、雌コネクタ３には、嵌合ガイド溝２７が設けられている。嵌合ガイド溝２７は、互いに間隔をあけて配置された一対のガイド部２８によって形成され、勿論、該一対のガイド部２８間の空間となっている。一対のガイド部２８は、勿論、コネクタハウジング２２即ち雌コネクタ３の外表面から立設している。嵌合ガイド溝２７は、雌コネクタ３の筒部２４の雄コネクタ２寄りの縁から該雌コネクタ３の外側に向かうように、後述する接離方向Ｓに交差する方向に沿って直線状に延在している。嵌合ガイド溝２７の幅は、レバー４の後述する嵌合ガイド突起３３の幅よりも大きい。
【００５４】
嵌合ガイド溝２７内には、コネクタ２，３同士が嵌合する際に、嵌合ガイド突起３３が侵入する。そして、レバー４が後述する第１の位置と第２の位置とに亘って回転すると、嵌合ガイド溝２７内を嵌合ガイド突起３３が移動する。そして、嵌合ガイド溝２７は、嵌合ガイド突起３３と共同して、コネクタ２，３同士を接離させる。
【００５５】
嵌合ガイド溝２７の雄コネクタ２から離れた側の内面２７ａは、レバー４が後述する第２の位置に位置付けられると、嵌合ガイド突起３３と間隔をあける。レバー４が回転して、連動解除部５が、ロックアーム１５とロック突起２６の係合を解除すると、嵌合ガイド突起３３が前述した内面２７ａに接触する。嵌合ガイド溝２７の内面２７ａと嵌合ガイド突起３３とが間隔をあけた状態では、レバー４を回転しても、コネクタ２，３同士が接離しない。
【００５６】
このように、嵌合ガイド溝２７と嵌合ガイド突起３３は、互いの間に空間Ａ（図１６に示す）を設けて、レバー４が第２の位置から第１の位置に向かって回転する際に、連動解除部５がロックアーム１５とロック突起２６との係合が解除するまでは、嵌合ガイド突起３３が嵌合ガイド溝２７の内面２７ａと間隔をあけて、レバー４が回転してもコネクタ２，３同士を相対的に停止させてこれらのコネクタ２，３が互いに完全に嵌合した状態に保つ。このように、嵌合ガイド溝２７の内面２７ａと嵌合ガイド突起３３との間の空間Ａは、特許請求の範囲に記載された嵌合保持部をなしている。
【００５７】
レバー４は、図２に示すように、平板部２９と、該平板部２９の外縁から立設した操作板部３０とを備えて、側方からみて全体としてＬ字状に形成されている。平板部２９には、支点用長孔３１（図２などに示す）と、ガイド用長孔３２（図２などに示す）と、嵌合ガイド突起３３（図４などに示す）とが設けられている。支点用長孔３１とガイド用長孔３２とは、平板部２９を貫通している。
【００５８】
支点用長孔３１は、平板部２９の中央部に設けられている。支点用長孔３１内には、支点ボス２０が侵入する。支点用長孔３１内に侵入した支点ボス２０は、該支点用長孔３１内を移動自在となる。ガイド用長孔３２は、支点用長孔３１よりも操作板部３０寄りに設けられている。ガイド用長孔３２内には、ガイドボス２１が侵入する。ガイド用長孔３２内に侵入したガイドボス２１は、該ガイド用長孔３２内を移動自在となる。
【００５９】
支点用長孔３１とガイド用長孔３２とは、それぞれ、円弧状に延びている。支点用長孔３１とガイド用長孔３２との曲率の中心は、該孔３１，３２よりも嵌合ガイド突起３３寄りでかつ該嵌合ガイド突起３３よりも雌コネクタ３から離れた位置に配置されている。嵌合ガイド突起３３は、平板部２９からインナハウジング１１に向かって立設している。嵌合ガイド突起３３は、支点用長孔３１よりも操作板部３０から離れた側に配置されている。
【００６０】
平板部２９は、支点用長孔３１内に支点ボス２０が侵入し、ガイド用長孔３２内にガイドボス２１が侵入することで、インナハウジング１１とアウタカバー１２の前述した一つの外壁との間に配置される。そして、平板部２９は、支点ボス２０が支点用長孔３１内を移動し、かつガイドボス２１がガイド用長孔３２内を移動することで、操作板部３０から離れた側の一端部を中心として回転自在にコネクタハウジング９即ち雄コネクタ２に取り付けられる。
【００６１】
操作板部３０は、平板部２９がインナハウジング１１とアウタカバー１２との間に配置されて、平板部２９が回転することで、ロックアーム１５と重なることが可能な位置に配置されている。
【００６２】
前述したレバー４は、長孔３１，３２内にボス２０，２１が侵入して、インナハウジング１１と間隔をあけた状態で雄コネクタ２に取り付けられる。そして、レバー４は、前述した一端部を中心として回転自在に雄コネクタ２に支持される。さらに、レバー４に設けられた嵌合ガイド突起３３が、雌コネクタ３の嵌合ガイド溝２７内に侵入する。そして、レバー４は、前述した一端部を中心として回転することで、嵌合ガイド突起３３が嵌合ガイド溝２７内を摺動（移動）して、雌コネクタ３と雄コネクタ２とを互いに接離させる。なお、接離とは、雄コネクタ２と雌コネクタ３とが、互いに離れたり近づくことを示している。
【００６３】
さらに、レバー４は、ロックアーム１５とロック突起２６とが完全に離れて、コネクタ２，３同士を完全に分離させる第１の位置（図２などに示す）と、ロックアーム１５がロック突起２６に完全に係合してコネクタ２，３同士を完全に嵌合させる第２の位置（図１４などに示す）とに亘って、雄コネクタ２に対して回転自在に設けられている。なお、第２の位置では、レバー４は、アウタカバー１２とインナハウジング１１との間に収容されて、操作板部３０がロックアーム１５と重なる。第１の位置では、レバー４は、主に操作板部３０がアウタカバー１２とインナハウジング１１との間から突出した格好となる。
【００６４】
連動解除部５は、第１解除部３４（図２などに示す）と、第２解除部３５（図１５などに示す）とを備えている。第１解除部３４は、図２０及び図２１に示すように、一対の解除アーム３７を備えている。
【００６５】
一対の解除アーム３７は、互いに間隔をあけて配置され、互いの間にロックアーム１５のアーム本体１６を位置付けている。解除アーム３７は、レバー４の操作板部３０から雌コネクタ３に向かって延在した棒状のアーム本体３８と、該アーム本体３８の雌コネクタ３寄りの端部から一対の解除アーム３７同士が近づく方向に突出した干渉部３９とを備えている。このように、解除アーム３７即ち第１解除部３４は、アーム本体１６がレバー４の操作板部３０に連なることで、レバー４に設けられている。
【００６６】
干渉部３９は、ロックアーム１５のアーム本体１６とインナハウジング１１との間に位置付けられる。そして、干渉部３９は、解除突起３６と、コネクタ２，３同士の接離方向Ｓ（図１などに矢印で示す）に沿って並ぶ。なお、接離方向Ｓとは、コネクタ２，３同士が互いに嵌合又は分離するために接離する際に、これらのコネクタ２，３が相対的に移動する方向を示している。
【００６７】
干渉部３９は、レバー４が前述した第２の位置に位置付けられると、解除突起３６よりも雌コネクタ３寄りに位置付けられる。干渉部３９は、レバー４が前述した第１の位置に位置付けられると、解除突起３６よりも雌コネクタ３から離れた側に位置付けられる。このため、干渉部３９は、レバー４が第１の位置と第２の位置とに亘って回転する間に、解除突起３６と接触して、該解除突起３６が乗り上げるように、係合突起１７がロック突起２６から離れる方向にロックアーム１５のアーム本体１６などを弾性変形させる。なお、干渉部３９上に解除突起３６が乗り上げた状態となるのは、前述した第２の位置から第１の位置に向かって回転させ始めた時である。
【００６８】
前述した構成の第１解除部３４は、レバー４が第２の位置に位置付けられた状態即ちコネクタ２，３同士が完全に嵌合した状態で、レバー４を第１の位置に向かって回転すると、干渉部３９が解除突起３６即ちロックアーム１５の他端部１６ｂとインナハウジング１１即ち雄コネクタ２との間に侵入して、係合突起１７とロック突起２６との係合が解除される方向に、ロックアーム１５のアーム本体１６を弾性変形させる。
【００６９】
第２解除部３５は、レバー４の操作板部３０から雄コネクタ２に向かって凸の押圧部４０を備えている。押圧部４０の雌コネクタ３から離れた側にはテーパ面４１が形成されている。テーパ面４１は、レバー４が前述した第２の位置に位置付けられると、雌コネクタ３から離れるのにしたがって徐々に雄コネクタ２の外側に向かう方向に、前述した接離方向Ｓに対して傾斜している。
【００７０】
また、第２解除部３５の押圧部４０は、レバー４が前述した第２の位置に位置付けられると、ロックアーム１５の操作板部１９よりも雌コネクタ３寄りに位置付けられる。押圧部４０は、レバー４が前述した第１の位置に位置付けられると、ロックアーム１５の操作板部１９よりも雌コネクタ３から離れた側に位置付けられる。このため、押圧部４０は、レバー４が第２の位置から第１の位置に向かって回転する間に、ロックアーム１５の操作板部１９と接触して、前述したテーパ面４１で該操作板部１９即ちロックアーム１５の一端部をインナハウジング１１即ち雄コネクタ２に向かって押圧する。
【００７１】
そして、押圧部４０は、係合突起１７がロック突起２６から離れる方向にロックアーム１５のアーム本体１６などを弾性変形させる。なお、押圧部４０がロックアーム１５の操作板部１９を押圧するのは、前述した第２の位置から第１の位置に向かって回転させ始めて、解除アーム３７の干渉部３９上に解除突起３６が乗り上げた時である。
【００７２】
前述した構成の第２解除部３５は、レバー４が第２の位置に位置付けられた状態即ちコネクタ２，３同士が完全に嵌合した状態で、レバー４を第１の位置に向かって回転すると、押圧部４０が、ロックアーム１５の操作板部１９即ち前述した一端部をインナハウジング１１即ち雄コネクタ２に向かって押圧して、係合突起１７とロック突起２６との係合が解除される方向に、ロックアーム１５のアーム本体１６を弾性変形させる。
【００７３】
ガイド溝６は、ロックアーム１５の操作板部１９の外表面から凹に形成されている、即ち、ガイド溝６は、ロックアーム１５に設けられている。ガイド溝６は、接離方向Ｓに沿って、直線状に延在している。ガイド溝６内には、第２解除部３５の押圧部４０が侵入する。ガイド溝６は、レバー４が回転する際に、押圧部４０が侵入して、該押圧部４０の移動方向が前述した接離方向Ｓに沿うように、該第２解除部３５の押圧部４０の移動を案内する。
【００７４】
一対のガイド突起７は、接離方向Ｓに直交する方向に沿って互いに間隔をあけて配置されている。一対のガイド突起７は、雄コネクタ２のカバー部材１０の外面のロックアーム１５寄りの箇所から凸に形成されている。一対のガイド突起７は、前述した接離方向Ｓに沿って直線状に延びた壁となっている。一対のガイド突起７は、レバー４が回転する際に、互いの間に前述した第２解除部３５の押圧部４０を通す。一対のガイド突起７は、レバー４が回転する際に、押圧部４０が互いの間に侵入して、該押圧部４０の移動方向が前述した接離方向Ｓに沿うように、該第２解除部３５の押圧部４０の移動を案内する。
【００７５】
仮係止部８は、第１仮係止部４２（図２などに示す）と、第２仮係止部４３（図３などに示す）とを備えている。第１仮係止部４２は、雄コネクタ２のインナハウジング１１の外表面から凸に形成されているとともに、該外表面から突没自在に設けられている。第１仮係止部４２は、インナハウジング１１の外表面から突出すると、レバー４の外縁と干渉して、該レバー４を第１の位置に固定する。
【００７６】
第１仮係止部４２は、コネクタ２，３同士が嵌合する際に、雌コネクタ３の筒部２４によってインナハウジング１１の内側に没する方向に押圧されて、前述したレバー４の外縁と干渉しなくなる。そして、第１仮係止部４２は、コネクタ２，３同士が近づくのに連動して、レバー４の固定を解除する。
【００７７】
第２仮係止部４３は、図１９に示すように、押圧部４０に設けられた垂直面４４と、ロックアーム１５の操作板部１９に設けられた垂直面４５とを備えている。垂直面４４，４５は、レバー４が第２の位置に位置付けられると、前述した接離方向Ｓに対して直交する方向に沿って平坦に形成されている。垂直面４４は、押圧部４０の雌コネクタ３寄りの箇所に設けられている。垂直面４５は、ロックアーム１５の操作板部１９の雌コネクタ３から最も離れた箇所に設けられている。第２仮係止部４３は、レバー４が前述した第１の位置に位置付けられると、垂直面４４，４５同士が重なって、レバー４を雄コネクタ２に固定する。
【００７８】
また、第２仮係止部４３は、コネクタ２，３同士が嵌合する際に、ロックアーム１５の係合突起１７がロック突起２６上に乗り上げると、垂直面４４，４５同士が互いに離れる。そして、第２仮係止部４３は、コネクタ２，３同士が近づくのに連動して、レバー４の固定を解除する。
【００７９】
前述したコネクタ１の雄コネクタ２と雌コネクタ３とを互いに嵌合させる際には、まず、コネクタハウジング９内に電線付きの雌端子を収容して、該コネクタハウジング９にカバー部材１０とレバー４とを取り付けて、雄コネクタ２などを組み立てる。コネクタハウジング２２内に電線付きの雄端子２５を収容して、雌コネクタ３を組み立てる。
【００８０】
すると、カバー部材１０の規制突起１４と仮係止部８とによって、図１及び図２に示すように、前述したレバー４が第１の位置に固定（位置決め）される。このとき、押圧部４０は、一対のガイド突起７間に位置付けられるとともに、図１９に示すように、第２仮係止部４３の垂直面４４，４５が互いに重なっている。図１ないし図４に示すように、雄コネクタ２と、雌コネクタ３の筒部２４とを相対させる。その後、コネクタ２，３同士を互いに近づけて、図５及び図６に示すように、雌コネクタ３の筒部２４を雄コネクタ２のアウタカバー１２内に徐々に挿入するとともに、該雌コネクタ３の筒部２４内に雄コネクタ２のインナハウジング１１を徐々に挿入する。
【００８１】
すると、図７に示すように、ロックアーム１５の係合突起１７が、ロック突起２６に乗り上げるとともに、雄端子２５の電気接触部が雄コネクタ２の端子収容室１３内に徐々に侵入する。そして、図７及び図８に示すように、他端部１６ｂがインナハウジング１１から離れる方向にロックアーム１５が弾性変形する。さらに、図８に示すように、嵌合ガイド突起３３が、嵌合ガイド溝２７内に侵入する。
【００８２】
雌コネクタ３の筒部２４内にインナハウジング１１が侵入すると、前述した仮係止部８の第１仮係止部４２のレバー４の係止が解除される。さらに、ロックアーム１５の操作板部１９がインナハウジング１１に近づいて垂直面４４，４５同士が離れて、仮係止部８の第２仮係止部４３のレバー４の係止が解除される。そして、レバー４を第２の位置に向かって回転することが可能となる。
【００８３】
レバー４を第２の位置に向かって回転させる。すると、長孔３１，３２が前述したように円弧状に形成されているので、嵌合ガイド突起３３が嵌合ガイド溝２７の奥に向かって移動するとともに、レバー４の回転に伴って、雌コネクタ３から離れる方向に移動する。そして、レバー４の第１の位置から第２の位置に向かう回転とともに、嵌合ガイド突起３３が嵌合ガイド溝２７内を摺動して、コネクタ２，３同士が近づく。
【００８４】
そして、図９及び図１０に示すように、押圧部４０が一対のガイド突起７間からガイド溝６内に侵入する。すると、図１１に示すように、押圧部４０がロックアーム１５の操作板部１９を乗り越えて、該操作板部１９よりも雌コネクタ３寄りに位置付けられる。さらに、図１２に示すように、干渉部３９上に解除突起３６が乗り上げる。
【００８５】
さらに、レバー４を第２の位置に向かって回転していくと、図１５に示すように、係合突起１７がロック突起２６を乗り越えて該ロック突起２６よりも雌コネクタ３寄りに位置付けられる。さらに、図１６に示すように、干渉部３９が解除突起３６よりも雌コネクタ３寄りに位置付けられる。そして、ロックアーム１５が弾性変形していない中立状態に復帰して、係合突起１７がロック突起２６に係合して、図１３及び図１４に示すように、コネクタ２，３同士が完全に嵌合して、前述したレバー４が第２の位置に位置付けられる。レバー４は、嵌合ガイド溝２７内に嵌合ガイド突起３３を位置付けて、第２の位置に保たれることで、コネクタ２，３同士を完全に嵌合した状態に保つ。さらに、このとき、前述した嵌合ガイド突起３３は、嵌合ガイド溝２７の前述した内面２７ａと間隔をあける。
【００８６】
このように、コネクタ２，３同士が完全に嵌合した状態では、図１７に示すように、レバー４の操作板部３０に設けられた押圧部４０がロックアーム１５の操作板部１９よりも雌コネクタ３寄りに配置されている。また、係合突起１７がロック突起２６よりも雌コネクタ３寄りに配置され、解除アーム３７の干渉部３９が図２０（ａ）及び（ｂ）に示すように、解除突起３６よりも雌コネクタ３寄りに配置されている。さらに、ロックアーム１５が弾性変形していない中立状態に位置付けられる。
【００８７】
このように、互いに嵌合したコネクタ２，３を互いに分離する際には、第２の位置に位置付けられたレバー４を第１の位置に向かって回転する。すると、レバー４の回転とともに、嵌合ガイド突起３３が、嵌合ガイド溝２７の前述した内面２７ａに近づく。さらに、図２１（ａ）及び図２１（ｂ）に示すように、解除アーム３７の干渉部３９に解除突起３６が乗り上げるとともに、押圧部４０が操作板部１９をインナハウジング１１に向かって押圧する。
【００８８】
すると、他端部１６ｂがインナハウジング１１から離れる方向にロックアーム１５が弾性変形して、図１８に示すように、係合突起１７即ちロックアーム１５のロック突起２６に対する係合が解除される。係合突起１７即ちロックアーム１５のロック突起２６に対する係合が解除されると、嵌合ガイド突起３３が嵌合ガイド溝２７の内面２７ａに接触する。すると、更なるレバー４の第１の位置に向かう回転に伴って、前述した内面２７ａ上を嵌合ガイド突起３３が摺動して、コネクタ２，３同士が徐々に離れる。このように、レバー４が第２の位置から第１の位置に向かって回転する際に、連動解除部５がコネクタ２，３同士の嵌合を解除しようとするレバー４の回転に連動して、ロックアーム１５とロック突起２６の係合を解除する。また、連動解除部５の第１解除部３４と第２解除部３５とがロックアーム１５のロック突起２６に対する係合を解除する間は、前述した嵌合ガイド突起３３と嵌合ガイド溝２７の内面２７ａとの間の空間Ａによって、コネクタ２，３同士が相対的に移動しない（互いに離れずに、互いに停止している）。
【００８９】
本実施形態によれば、雄コネクタ２と雌コネクタ３とを互いに嵌合した状態に保つレバー４に加え、互いに係合して雄コネクタ２と雌コネクタ３とを互いに嵌合した状態に保つロックアーム１５とロック突起２６を備えている。このため、レバー４を設けることなく雄コネクタ２と雌コネクタ３とを互いに嵌合した状態に保つことができる。
【００９０】
このため、レバー４を用いてコネクタ２，３同士を嵌合させた後に、レバー４を取り外すことができるとともに、該レバー４が破損してもコネクタ２，３同士を嵌合させた状態に保つことができる。したがって、前述したようにＬ字状に形成してレバー４の機械的な強度を従来のものより低下させることができ、該レバー４の小型化が可能となって、コネクタ１自体の小型化を図ることができる。また、コネクタ１は、場合によってはレバー４を取り外して設置することができるので、設置にかかるスペースを小さくすることができるとともに、狭いスペースにも設置することができる。
【００９１】
連動解除部５がコネクタ２，３同士の嵌合を解除しようとするレバー４の回転に連動して、ロックアーム１５とロック突起２６の係合を解除するので、レバー４を回転することで、コネクタ１同士を確実に分離できる。したがって、ロックアーム１５やロック突起２６などが破損することなく、コネクタ２，３同士を確実に分離できる。
【００９２】
連動解除部５の第１解除部３４の解除アーム３７が、ロックアーム１５の他端部１６ｂと雄コネクタ２との間に侵入するので、ロックアーム１５とロック突起２６との係合を確実に解除できる。
【００９３】
連動解除部５の第２解除部３５の押圧部４０が、ロックアーム１５の一端部としての操作板部１９を雄コネクタ２に向かって押圧するので、ロックアーム１５とロック突起２６との係合を確実に解除できる。
【００９４】
第２解除部３５の押圧部４０の移動を案内するガイド溝６が、ロックアーム１５の操作板部１９に設けられているので、レバー４の回動方向を前述した第２解除部３５の押圧部４０とガイド溝６が案内する。第２解除部３５の押圧部４０を互いの間に位置付けて該第２解除部３５の押圧部４０の移動方向を案内する一対のガイド突起７が、レバー４が取り付けられた雄コネクタ２のカバー部材１０に設けられているので、レバー４の回動方向を前述した第２解除部３５の押圧部４０と一対のガイド突起７が案内する。このため、レバー４の機械的な強度を弱くして該レバー４を小型化させても、該レバー４が破損することがない。したがって、より一層確実に小型化を図ることができ、レバー４を回転することで、コネクタ２，３同士を確実に接離させることができる。
【００９５】
ロックアーム１５とロック突起２６との係合が解除されるまで、前述した空間Ａが雄コネクタ２と雌コネクタ３とを相対的に移動させない（停止させる）。このため、コネクタ２，３同士を分離する際に、ロックアーム１５とロック突起２６との係合が解除される前に、コネクタ２，３同士が離れる方向に移動することを防止できるので、ロックアーム１５やロック突起２６などが破損することを防止できる。したがって、ロックアーム１５やロック突起２６などが破損することなく、コネクタ２，３同士を確実に分離できる。
【００９６】
また、前述した嵌合ガイド溝２７の内面２７ａと嵌合ガイド突起３３との間に空間Ａが設けられているので、ロックアーム１５とロック突起２６との係合が解除されるまで、雄コネクタ２と雌コネクタ３とが確実に相対的に移動しない。したがって、ロックアーム１５やロック突起２６などが破損することなく、コネクタ２，３同士を確実に分離できる。
【００９７】
さらに、コネクタ１は、仮係止部８を備えているので、コネクタ２，３同士が分離した状態で、レバー４が回転することを防止できる。したがって、コネクタ２，３同士が分離した状態で、コネクタ２，３同士が完全に嵌合した状態の第２の位置にレバー４が位置付けられることを防止できる。
【００９８】
前述した実施形態では、雄コネクタ２にレバー４を取り付けているが、本発明では、雌コネクタ３にレバー４を取り付けても良い。また、実施形態では、レバー４が取り付けられた雄コネクタ２にロックアーム１５を設け、レバー４が取り付けられていない雌コネクタ３にロック突起２６を設けている。しかしながら、本発明では、レバー４が取り付けられた雄コネクタ２にロック突起２６を設け、レバー４が取り付けられていない雌コネクタ３にロックアーム１５を設けても良い。要するに、本発明では、コネクタ２，３のうちいずれか一方にレバー４を取り付けて、コネクタ２，３のうちいずれか一方にロックアーム１５とロック突起２６とのうち一方を設け、コネクタ２，３のうち他方にロックアーム１５とロック突起２６とのうち他方を設ければ良い。
【００９９】
また、前述した実施形態では、レバー４に嵌合ガイド突起３３を設け、コネクタ２，３のうちのレバー４が取り付けていない雌コネクタ３に嵌合ガイド溝２７を設けている。しかしながら、本発明では、コネクタ２，３のうちのレバー４が取り付けていない方に嵌合ガイド突起３３を設け、レバー４に嵌合ガイド溝２７を設けても良いことは勿論である。
【０１００】
さらに、前述した実施形態では、連動解除部５が、第１解除部３４と第２解除部３５との双方を備えている。しかしながら、本発明では、連動解除部５が、第１解除部３４のみを備えても良く、第２解除部３５のみを備えても良い。要するに、本発明では、連動解除部５が、第１解除部３４と第２解除部３５とのうち少なくとも一方を備えていれば良い。このため、本発明では、第１解除部３４の解除アーム３７などを設けなくても良い。
【０１０１】
また、前述した実施形態では、仮係止部８が、第１仮係止部４２と第２仮係止部４３との双方を備えている。しかしながら、本発明では、仮係止部８が、第１仮係止部４２のみを備えても良く、第２仮係止部４３のみを備えても良い。要するに、本発明では、仮係止部８が、第１仮係止部４２と第２仮係止部４３とのうち少なくとも一方を備えていれば良い。さらに、本発明では、前述したガイド溝６を設けなくても良い。
【０１０２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【０１０３】
【図１】本発明の一実施形態にかかるコネクタの雌コネクタヘの雄コネクタ嵌合前の状態を示す斜視図である。
【図２】図１に示されたコネクタの雌コネクタのアウタカバーの一部を除いた状態を示す斜視図である。
【図３】図１に示されたコネクタの雌コネクタのロックアームが見える位置での切断面を示す断面図である。
【図４】図１に示されたコネクタのレバーのロック解除アームが見える位置での切断面を示す断面図である。
【図５】図１に示されたコネクタの雌コネクタヘの雄コネクタ嵌合し始め状態を示す斜視図である。
【図６】図５に示されたコネクタの雌コネクタのアウタカバーの一部を除いた状態を示す斜視図である。
【図７】図５に示されたコネクタの雌コネクタのロックアームが見える位置での切断面を示す断面図である。
【図８】図５に示されたコネクタのレバーのロック解除アームが見える位置での切断面を示す断面図である。
【図９】図１に示されたコネクタの雌コネクタヘの雄コネクタ嵌合完了直前の状態を示す斜視図である。
【図１０】図９に示されたコネクタの雌コネクタのアウタカバーの一部を除いた状態を示す斜視図である。
【図１１】図９に示されたコネクタの雌コネクタのロックアームが見える位置での切断面を示す断面図である。
【図１２】図９に示されたコネクタのレバーのロック解除アームが見える位置での切断面を示す断面図である。
【図１３】図１に示されたコネクタの雌コネクタヘの雄コネクタ嵌合完了状態を示す斜視図である。
【図１４】図１３に示されたコネクタの雌コネクタのアウタカバーを除いた状態を示す斜視図である。
【図１５】図１３に示されたコネクタの雌コネクタのロックアームが見える位置での切断面を示す断面図である。
【図１６】図１３に示されたコネクタのレバーのロック解除アームが見える位置での切断面を示す断面図である。
【図１７】図１５に示されたコネクタのロックアームや第２解除部などを拡大して示す断面図である。
【図１８】図１７に示された第２解除部がロックアームのロック突起の係合を解除した状態を拡大して示す断面図である。
【図１９】図３に示されたコネクタのロックアームや第２仮係止部などを拡大して示す断面図である。
【図２０】（ａ）は図１６に示されたコネクタのロックアームや第１解除部などを拡大して示す断面図であり、（ｂ）は図２０（ａ）に示された第１解除部の干渉部と解除突起などの位置関係を模式的に示す平面図である。
【図２１】（ａ）は図２０に示された第１解除部がロックアームのロック突起に対する係合を解除した状態を拡大して示す断面図であり、（ｂ）は図２１（ａ）に示された第１解除部の干渉部と解除突起などの位置関係を模式的に示す平面図である。
【図２２】従来のレバー式コネクタの雄ハウジングを雌ハウジングに嵌合前の状態を示す断面図である。
【図２３】図２２に示されたレバー式コネクタの雄ハウジングを雌ハウジングに嵌合した状態を示す断面図である。
【符号の説明】
【０１０４】
１  コネクタ
２  雄コネクタ（第１のコネクタ）
３  雌コネクタ（第２のコネクタ）
４  レバー
５  連動解除部
６  ガイド溝
７  ガイド突起
８  仮係止部
１５  ロックアーム
１６ａ  一端部
１６ｂ  他端部
１９  操作板部（一端部）
２６  ロック突起
２７  嵌合ガイド溝
２７ａ  内面
３３  嵌合ガイド突起
３４  第１解除部
３５  第２解除部
４０  押圧部
Ａ  空間（嵌合保持部）
Ｓ  接離方向
【図１】
2006324227.tif 000003
【図２】
2006324227.tif 000004
【図３】
2006324227.tif 000005
【図４】
2006324227.tif 000006
【図５】
2006324227.tif 000007
【図６】
2006324227.tif 000008
【図７】
2006324227.tif 000009
【図８】
2006324227.tif 000010
【図９】
2006324227.tif 000011
【図１０】
2006324227.tif 000012
【図１１】
2006324227.tif 000013
【図１２】
2006324227.tif 000014
【図１３】
2006324227.tif 000015
【図１４】
2006324227.tif 000016
【図１５】
2006324227.tif 000017
【図１６】
2006324227.tif 000018
【図１７】
2006324227.tif 000019
【図１８】
2006324227.tif 000020
【図１９】
2006324227.tif 000021
【図２０】
2006324227.tif 000022
【図２１】
2006324227.tif 000023
【図２２】
2006324227.tif 000024
【図２３】
2006324227.tif 000025